(57)【要約】【課題】読取対象物との距離の調整のために用いる部材の種類を削減する。【解決手段】イメージセンサユニット１は、読取対象物Ｐからの光を集光する集光体１２と、集光体１２により集光された光を受光して画像を出力するイメージセンサ１６と、集光体１２とイメージセンサ１２とが収容された本体フレーム１０とを有し、本体フレーム１０には、載置部材７２との距離を保持する第１のスペーサ３１を着脱可能に装着でき、装着された第１のスペーサ３１を載置部材７２に当接させた状態での本体フレーム１０と載置部材７２との距離が互いに異なるように構成される複数のスペーサ装着部２１ａ〜２１ｃが設けられる。【選択図】図５
2018093290.tif 000002
【特許請求の範囲】
【請求項１】
載置部材に載置された読取対象物を前記載置部材の側から読取ることができるイメージセンサユニットであって、
前記読取対象物からの光を集光する集光体と、
前記集光体により集光された光を受光して電気信号に変換するイメージセンサと、
前記集光体と前記イメージセンサとが収容された本体フレームと
を有し、
前記本体フレームには、前記本体フレームと前記載置部材との距離を保持するスペーサを着脱可能に装着でき前記集光体の光軸方向の位置が互いに異なる複数のスペーサ装着部が設けられていることを特徴とするイメージセンサユニット。
【請求項２】
前記集光体の光軸方向の位置が互いに異なる複数の前記スペーサ装着部は、装着された前記スペーサを前記載置部材に当接させた状態での前記本体フレームと前記載置部材との前記集光体の光軸方向の距離が互いに異なるように構成されていることを特徴とする請求項１に記載のイメージセンサユニット。
【請求項３】
複数の前記スペーサ装着部は、前記本体フレームの前記載置部材に向ける側に設けられ前記スペーサの少なくとも一部分を載置可能な支持部を有し、
前記集光体の光軸方向の位置が互いに異なる複数の前記スペーサ装着部の前記支持部の前記集光体の光軸方向の位置が互いに異なることを特徴とする請求項１に記載のイメージセンサユニット。
【請求項４】
前記スペーサを前記載置部材に当接させた状態での前記本体フレームと前記スペーサとの距離が互いに異なる複数の前記スペーサ装着部は、前記本体フレームの長尺方向の両端部のそれぞれに設けられていることを特徴とする請求項１から３のいずれか１項に記載のイメージセンサユニット。
【請求項５】
前記本体フレームの長尺方向の一方の端部に設けられている複数の前記スペーサ装着部のそれぞれと、前記本体フレームの長尺方向の他方の端部に設けられている複数の前記スペーサ装着部のそれぞれとは、前記スペーサを前記載置部材に当接させた状態での前記本体フレームと前記スペーサとの距離が同じであり、
前記スペーサを前記載置部材に当接させた状態での前記本体フレームと前記スペーサとの距離が同じとなる前記スペーサ装着部どうしが、前記本体フレームに線対称に設けられていることを特徴とする請求項１から４のいずれか１項に記載のイメージセンサユニット。
【請求項６】
前記スペーサを前記載置部材に当接させた状態での前記本体フレームと前記スペーサとの距離が互いに異なる複数の前記スペーサ装着部は、前記本体フレームの短尺方向の両端部のそれぞれに、長尺方向の中央部に設けられていることを特徴とする請求項１から３のいずれか１項に記載のイメージセンサユニット。
【請求項７】
前記本体フレームの短尺方向の一方の端部に設けられている複数の前記スペーサ装着部のそれぞれと、前記本体フレームの短尺方向の他方の端部に設けられている複数の前記スペーサ装着部のそれぞれとは、前記スペーサを前記載置部材に当接させた状態での前記本体フレームと前記スペーサとの距離が同じであり、
前記スペーサを前記載置部材に当接させた状態での前記本体フレームと前記スペーサとの距離が同じとなる前記スペーサ装着部どうしが、前記集光体の光軸方向視において、前記本体フレームに点対称に設けられていることを特徴とする請求項１から３、６のいずれか１項に記載のイメージセンサユニット。
【請求項８】
複数の前記スペーサ装着部のいずれかに、前記スペーサが装着されていることを特徴とする請求項１から７のいずれか１項に記載のイメージセンサユニット。
【請求項９】
イメージセンサユニットと読取対象とを相対的に移動させながら、前記読取対象からの反射光を読み取る画像読取装置であって、
前記イメージセンサユニットは、請求項１から８のいずれか１項に記載のイメージセンサユニットであることを特徴とする画像読取装置。
【請求項１０】
イメージセンサユニットと読取対象物とを相対的に移動させながら、前記読取対象物からの反射光を読み取る画像読取手段と、
記録媒体に画像を形成する画像形成手段と、
を備える画像形成装置であって、
前記イメージセンサユニットは、請求項１から８のいずれか１項に記載のイメージセンサユニットであることを特徴とする画像形成装置。
【発明の詳細な説明】
【技術分野】
【０００１】
本発明は、イメージセンサユニット、画像読取装置および画像形成装置に関する。
【背景技術】
【０００２】
スキャナーなどの画像読取装置や、コピー機やＭＦＰ（Multifunction Printer）などの画像形成装置には、コンタクトイメージセンサが適用されるものがある。そして、このような画像読取装置や画像形成装置においては、コンタクトイメージセンサと読取対象とを相対的に移動させながら、コンタクトイメージセンサによって読取対象を読取る。この際、コンタクトイメージセンサと読取対象との距離を、コンタクトイメージセンサに設けられる距離調整部材によって読取に適した距離に保持する。ところで、コンタクトイメージセンサは一般的に焦点深度が浅い。このため、コンタクトイメージセンサによる画像の読取り状態（例えば読取りの解像度）は、コンタクトイメージセンサを構成する各部品の寸法公差の影響をも受けることになる。したがって、コンタクトイメージセンサの各部品の寸法公差によって、読取りの解像度にバラツキ（個体差）が生じる。
【０００３】
コンタクトイメージセンサごとに読取対象物との距離を調整する構成としては、コンタクトイメージセンサの筐体とスペーサ（距離保持部材）との間に、所定の厚さを有するシート状の部材（距離調整部材）を介在させる構成が用いられる。しかしながら、このような構成では、複数の種類の厚さのシート状の部材をあらかじめ用意しておかなければならない。このため、読取対象物との距離を調整するために用いる部材の種類が増加する。
【０００４】
このほか、読取対象物との距離を調整する構成として、特許文献１には、カム機構を用いる構成が開示されている。このような構成によれば、カムを回転させることによって、個体ごとに読取対象との距離を調整できる。しかしながらこのような構成では、コンタクトイメージセンサにカム機構を設けるスペースが必要になるため、筐体の大型化を招く。また、部品点数が増加し構造が複雑化するため、製造コストの上昇を招く。
【先行技術文献】
【特許文献】
【０００５】
【特許文献１】特開２００９−１６４７４３号公報
【発明の概要】
【発明が解決しようとする課題】
【０００６】
上記実情に鑑み、本発明が解決しようとする課題は、読取対象物との距離の調整のために用いる部材の種類を削減することである。
【課題を解決するための手段】
【０００７】
本発明は、載置部材に載置された読取対象物を前記載置部材の側から読取ることができるイメージセンサユニットであって、前記読取対象物からの光を集光する集光体と、前記集光体により集光された光を受光して電気信号に変換するイメージセンサと、前記集光体と前記イメージセンサとが収容された本体フレームとを有し、前記本体フレームには、前記本体フレームと前記載置部材との距離を保持するスペーサを着脱可能に装着でき前記集光体の光軸方向の位置が互いに異なる複数のスペーサ装着部が設けられていることを特徴とする。
【発明の効果】
【０００８】
本発明によれば、読取対象物との距離の調整のために用いる部材の種類を削減することができる。
【図面の簡単な説明】
【０００９】
【図１】図１は、イメージセンサユニットの構成例を模式的に示す分解斜視図である。
【図２】図２は、イメージセンサユニットの構成例を模式的に示す外観斜視図である。
【図３】図３は、イメージセンサユニットを主走査方向に直角な面で切断した断面を示す図である。
【図４】図４は、複数の第１のスペーサ装着部の１つに第１のスペーサが装着された状態を模式的に示す断面図である。
【図５】図５は、第１のスペーサおよび第１のスペーサ装着部の構成例を模式的に示す斜視図である。
【図６】図６は、第２のスペーサおよび第２のスペーサ装着部の構成例を模式的に示す斜視図である。
【図７】図７は、第２のスペーサおよび第２のスペーサ装着部の他の構成例を模式的に示す斜視図である。
【図８】図８は、画像読取装置の構成例を模式的に示す外観斜視図である。
【図９】図９は、画像形成装置の外観斜視図である。
【図１０】図１０は、画像形成装置の画像形成部を抜き出して示した斜視図である。
【発明を実施するための形態】
【００１０】
以下、本発明を適用できる実施形態について、図面を参照して詳細に説明する。本発明の実施形態では、イメージセンサユニットと、このイメージセンサユニットが適用された画像読取装置および画像形成装置を示す。また、本発明の実施形態では、イメージセンサユニットとして、コンタクトイメージセンサ（ＣＩＳ）を示す。イメージセンサユニットは、紙葉類などの読取対象物Ｐに対して副走査方向に相対的に移動しながら光を照射し、その反射光によって読取対象物Ｐを読取る。なお、本発明において、「光」とは、可視光のみならず、紫外線、赤外線などの可視光以外の波長帯域の電磁波を含むものとする。また、各図において、イメージセンサユニットの三次元の各方向を、Ｘ，Ｙ，Ｚの各矢印で示す。Ｘ軸方向はイメージセンサユニットの長手方向であり、例えば主走査方向である。Ｙ軸方向はイメージセンサユニットの短尺方向であり、例えば副走査方向である。Ｚ軸方向は上下方向である。なお、上下方向については、読取対象物Ｐに向ける側を上側とし、その反対側を下側とする。
【００１１】
（イメージセンサユニットの構成例）
まず、イメージセンサユニット１の構成例について、図１〜図３を参照して説明する。図１は、イメージセンサユニット１の構成例を模式的に示す分解斜視図である。図２は、イメージセンサユニット１の構成例を模式的に示す外観斜視図である。図３は、図２のＩＩＩ−ＩＩＩ線断面図であり、イメージセンサユニット１を主走査方向に直角な面で切断した断面を示す図である。図１〜図３に示すように、イメージセンサユニット１は、本体フレーム１０と、光源１１と、導光体１２と、導光体カバー１３と、集光体１４と、センサ基板１５とを有する。さらに、イメージセンサユニット１は、読取対象物Ｐとの距離を所望の距離に保持するための第１のスペーサ３１と第２のスペーサ３２とを有する。
【００１２】
光源１１には、ＬＥＤ素子を有するＬＥＤパッケージなどといった、各種の点状光源が適用される。例えば、光源１１には、赤色（Ｒ）と緑色（Ｇ）と青色（Ｂ）と赤外線（Ｉｒ）の各発色光（波長域）のＬＥＤ素子を有するＬＥＤパッケージが適用される。ただし、光源１１の構成および発光色は特に限定されない。例えば光源１１には、一種類の発光色（波長域）のＬＥＤ素子を有するＬＥＤパッケージが適用される構成であってもよい。また、光源１１はＬＥＤパッケージに限定されるものではない。
【００１３】
導光体１２は、光源１１が発する光を線状化（線光源化）してイメージセンサユニット１の外部（読取対象物Ｐの側）に出射するための光学部材である。導光体１２は、例えばアクリル系の樹脂などといった透明な材料からなり、全体として主走査方向に細長い棒状の形状を有する。導光体１２の主走査方向（長尺方向）の一方または両方の端面には、光源１１が発する光が入射する光入射面１２１が設けられる。図１と図２においては、両方の端面に光入射面１２１が設けられる構成を例に示す。導光体１２の側面には、後述する光拡散面１２２（図３参照）と光出射面１２３とが設けられる。また、導光体１２には、導光体カバー１３と位置決めするための係合部１２４が設けられる。係合部１２４としては、例えば、主走査方向の端部に設けられ、副走査方向に突出する突起が適用できる。
【００１４】
導光体１２の光拡散面１２２は、光入射面１２１から入射した光を拡散させるための面であり、主走査方向に細長い形状を有する。光拡散面１２２には、例えば、導光体１２の外部に光を出射するためのプリズムパターン（図略）が形成される。プリズムパターンには、例えば、断面が略三角形で、長手方向（主走査方向）に直交する方向に延伸する凸状の構造が適用できる。このほか、光拡散面１２２には、光を拡散させるためのドットパターンなどが印刷される構成であってもよい。光出射面１２３は、光入射面１２１から入射した光を読取対象物Ｐに向けて出射する面である。光出射面１２３は、光源１１の発する光を線状化（線光源化）できるように、主走査方向に細長い形状を有する。
【００１５】
なお、各図においては、導光体１２の主走査方向（長尺方向）の両端面に光入射面１２１が設けられる構成を示すが、一方の端面にのみ設けられる構成であってもよい。また、各図では、イメージセンサユニット１が２本の導光体１２を有する構成を示すが、イメージセンサユニット１が有する導光体１２の数は限定されない。例えば、イメージセンサユニット１が１本の導光体１２を有する構成であってもよく、３本以上の導光体１２を有する構成であってもよい。
【００１６】
導光体カバー１３は、導光体１２に装着される部材であり、主走査方向に長い棒状で、主走査方向に直角な面で切断した断面形状が略「Ｕ」字形状や略「Ｃ」字形状に形成される。そして、導光体カバー１３は、光を拡散させる機能と光の利用効率の向上を図る機能とを有する。このような機能のため、導光体カバー１３は、たとえば酸化チタンの粉末が混合されたポリカーボネートなどといった、光の反射率が高い材料によって形成される。導光体カバー１３の内側には、光反射面１３１が設けられる。光反射面１３１は、導光体１２の光拡散面１２２から外部に出射した光を反射させて、再び導光体１２の内部に入射させるための面であり、導光体１２の光拡散面１２２と同様に、主走査方向に長い形状を有する。なお、導光体カバー１３の内側の面の一部が光反射面１３１であってもよく、全部が光反射面１３１であってもよい。そして、導光体カバー１３が導光体１２に装着されると、導光体カバー１３の光反射面１３１が導光体１２の光拡散面１２２を覆う（導光体カバー１３に設けられる光反射面１３１が導光体１２の側面に設けられる光拡散面１２２と対向する）。
【００１７】
導光体カバー１３の主走査方向の端部近傍には、導光体１２の係合部１２４が係合可能な被係合部１３２が設けられる。導光体１２の係合部１２４として突起が適用される構成であれば、導光体カバー１３に設けられる被係合部１３２として、例えば係合部１２４が嵌まり込むことができる開口部または凹部が適用される。そして、導光体１２に設けられる係合部１２４が導光体カバー１３に設けられる被係合部１３２に係合すると、導光体１２と導光体カバー１３とが相対的に位置決めされた状態に保持される。
【００１８】
集光体１４は、読取対象物Ｐからの光をイメージセンサ１６（後述）の表面に結像させる光学部材である。集光体１４には、たとえば、一般的なロッドレンズアレイ（マイクロレンズアレイ）が適用できる。一般的なロッドレンズアレイは、複数の正立等倍結像型の結像素子（ロッドレンズ）が主走査方向に直線状に配列された構成を有する。なお、集光体１４の具体的な構成は限定されない。
【００１９】
センサ基板１５は、配線板１５２と、配線板１５２に設けられたイメージセンサ１６および光源１１とを有する。また、センサ基板１５は、外部と電気的に接続するためのコネクタ１５１を有していてもよい。配線板１５２は、上下方向視で主走査方向に長い形状（例えば、略長方形）を有する。なお、配線板１５２の構成は特に限定されるものではなく、プリント配線板など、公知の各種配線板が適用できる。
【００２０】
イメージセンサ１６は、集光体１４により結像した光（読取対象物Ｐからの光）を受光して電気信号に変換する。イメージセンサ１６は、直線状（一次元状）に配列された複数の光電変換素子を有する。例えばイメージセンサ１６には、イメージセンサＩＣアレイが適用できる。イメージセンサＩＣアレイは、複数のイメージセンサＩＣを有し、これら複数のイメージセンサＩＣが配線板１５２の上面に主走査方向に直線状に配列して実装されることによって形成される。各々のイメージセンサＩＣは、直線状（一次元状）に配列された複数の光電変換素子（受光素子と称することもある）を有する。なお、イメージセンサ１６は、直線状（一次元状）に配列された複数の光電変換素子を有する構成であればよく、具体的な構成は限定されない。例えば、イメージセンサ１６に含まれる複数の光電変換素子の数や間隔は、イメージセンサユニット１の仕様などに応じて適宜設定される。また、イメージセンサ１６にイメージセンサＩＣアレイが適用される構成において、イメージセンサＩＣアレイを形成するイメージセンサＩＣの構成も特に限定されるものではなく、従来公知の各種イメージセンサＩＣが適用できる。さらに、イメージセンサ１６にイメージセンサＩＣアレイが適用される構成においては、イメージセンサＩＣが千鳥状に複数列配列されてもよい。
【００２１】
本体フレーム１０は、イメージセンサユニット１の筺体である。本体フレーム１０は、例えば、遮光性を有する材料により形成される。例えば、本体フレーム１０の材料には、黒色に着色されたポリカーボネートなど、各種の樹脂材料が適用できる。本体フレーム１０は、上下方向視において主走査方向に長い略長方形の形状を有する。本体フレーム１０には、導光体収容部１０１と、集光体収容部１０２と、センサ基板収容部１０３と、光源収容部１０４とが設けられる。導光体収容部１０１は、導光体カバー１３が装着された導光体１２を収容可能な領域である。集光体収容部１０２は、集光体１４を収容可能な領域である。センサ基板収容部１０３は、センサ基板１５を収容する領域である。さらに、本体フレーム１０には、第１のスペーサ３１を着脱可能に装着できる複数の第１のスペーサ装着部２１ａ〜２１ｃと、第２のスペーサ３２を着脱可能に装着できる複数の第２のスペーサ装着部２２ａ〜２２ｃとが形成される。また、本体フレーム１０の副走査方向の両端部には、主走査方向に平行な２つの側壁１０６が設けられる。本発明の実施形態では、これら２つの側壁１０６の上面は略平面であり、本体フレーム１０の最上端（最上部）に位置する。
【００２２】
導光体収容部１０１は、導光体カバー１３が装着された導光体１２を収容可能な領域である。導光体収容部１０１は、本体フレーム１０の上側寄りに設けられ、主走査方向に長く上側が開口する。導光体収容部１０１の副走査方向の一側には、押さえ片１０５が設けられる。押さえ片１０５は、弾性変形可能な舌片状の構成を有し、導光体カバー１３が装着されて導光体収容部１０１に収容された導光体１２を、副走査方向の反対側の一側および上下方向の下側に向けて付勢する。
【００２３】
集光体収容部１０２は、集光体１４を収容可能な領域である。集光体収容部１０２は、本体フレーム１０の上側寄りに設けられ、主走査方向に長く、上側と下側の両方が開口する。集光体収容部１０２の底部（下側）に設けられる開口部は、後述するセンサ基板収容部１０３と繋がっている。
【００２４】
なお、図１や図２に示すように、イメージセンサユニット１が１つの集光体１４と２つの導光体１２とを有する構成である場合には、本体フレーム１０には、１つの集光体収容部１０２と２つの導光体収容部１０１とが設けられる。この場合には、図１に示すように、２つの導光体収容部１０１の間に１つの集光体収容部１０２が設けられる。イメージセンサユニット１が１つの集光体１４と１つの導光体１２とを有する構成である場合には、１つの集光体収容部１０２と１つの導光体収容部１０１とが並ぶように設けられる。
【００２５】
センサ基板収容部１０３は、センサ基板１５を収容可能な領域である。図３に示すように、センサ基板収容部１０３は、本体フレーム１０の下側寄り（具体的には、導光体収容部１０１と集光体収容部１０２と光源収容部１０４の下側）に設けられ、下側が開口する。
【００２６】
光源収容部１０４は、光源１１を収容可能な領域である。光源収容部１０４は、本体フレーム１０の主走査方向の両端部近傍に、導光体収容部１０１の主走査方向の両外側に設けられる。光源収容部１０４は、導光体収容部１０１と連通しているとともに、センサ基板収容部１０３とも連通している。
【００２７】
本体フレーム１０の主走査方向（長尺方向）の両端部（一方の端部と他方の端部）のそれぞれには、導光体収容部１０１および光源収容部１０４よりも主走査方向の外側に、第１のスペーサ３１を着脱可能に装着できる複数の第１のスペーサ装着部２１ａ〜２１ｃが設けられる。また、本体フレーム１０の２つの側壁１０６（ここでは、本体フレーム１０の短尺方向の端部に設けられ、主走査方向に延伸する側壁１０６をいう）のそれぞれには、本体フレーム１０の主走査方向の中央部（両端部に設けられる第１のスペーサ装着部２１ａ〜２１ｃどうしの間）に、第２のスペーサ３２を着脱可能に装着できる複数の第２のスペーサ装着部２２ａ〜２２ｃが設けられる。第１のスペーサ３１、複数の第１のスペーサ装着部２１ａ〜２１ｃ、第２のスペーサ３２、複数の第２のスペーサ装着部２２ａ〜２２ｃの構成例については後述する。
【００２８】
ここで、イメージセンサユニット１の組み付け構造について説明する。
【００２９】
導光体カバー１３が装着された導光体１２は、導光体収容部１０１に収容される。導光体カバー１３が装着された導光体１２が導光体収容部１０１に収容されると、本体フレーム１０に設けられる押さえ片１０５が、導光体１２および導光体カバー１３を副走査方向の一方側および下側に付勢する。このため、導光体１２は、導光体収容部１０１の副走査方向の一方の内周面と底面とに付勢された状態で当接する。したがって、導光体１２は、導光体収容部１０１の内部に収容されると、本体フレーム１０に対して副走査方向および上下方向に位置決めされた状態となる。
【００３０】
集光体１４は、光軸が上下方向に平行となる向きで集光体収容部１０２に収容される。集光体収容部１０２に収容された集光体１４は、例えば紫外線硬化型の接着剤などによって、本体フレーム１０に接着固定される。なお、イメージセンサユニット１が画像読取装置や画像形成装置に組み込まれた状態では、集光体１４の上側の焦点は、読取対象物Ｐの読取対象となる面に位置するように、本体フレーム１０の上端面よりも上側に設定される。イメージセンサユニット１の本体フレーム１０の上端面から集光体１４の上側の焦点までの距離は、イメージセンサユニット１の構成（仕様など）や、イメージセンサユニット１が適用される画像読取装置や画像形成装置の構成（仕様など）に応じて適宜設定されるものであり、特に限定されるものではない。
【００３１】
センサ基板１５は、センサ基板収容部１０３に収容される。その状態では、センサ基板１５の上面に設けられているイメージセンサ１６が、集光体収容部１０２に収容されている集光体１４の光軸上に位置する。そして、イメージセンサ１６が有する複数の光電変換素子のそれぞれは、集光体収容部１０２に収容されている集光体１４の下側の焦点に位置する。
【００３２】
光源１１は、光源収容部１０４に収容される。光源収容部１０４と導光体収容部１０１とは一体に繋がっており、光源収容部１０４に収容された光源１１は導光体収容部１０１に収容されている導光体１２の光入射面１２１に向けて光を照射できる。また、光源１１は、センサ基板収容部１０３に収容されているセンサ基板１５の配線板１５２に、電気的に接続されるとともに物理的に接合される。
【００３３】
（イメージセンサユニットの読取動作）
ここで、イメージセンサユニット１が読取対象物Ｐを読取る読取動作の例について説明する。イメージセンサユニット１が画像読取装置や画像形成装置に組み込まれている状態では、イメージセンサユニット１の上側に、読取対象物Ｐを載置するためのプラテンガラスなどといった透明で平板状の部材（以下、載置部材７２と称する（図８、図９参照）が設けられている。そして、イメージセンサユニット１は、載置部材７２の上面に載置されている読取対象物Ｐを読取る。
【００３４】
光源１１は、各色の発光素子を順次点灯する。光源１１が発する光は、導光体１２の両端面に設けられる光入射面１２１から導光体１２の内部に入射する。導光体１２の内部に入射して光出射面１２３に到達した光は、光出射面１２３から読取対象物Ｐの読取ラインＯに向かって出射する。また、導光体１２の内部に入射して光拡散面１２２に到達した光は、光拡散面１２２に設けられるプリズムパターンから外部に出射する。導光体１２の光拡散面１２２は導光体カバー１３の光反射面１３１に覆われるため（対向しているため）、プリズムパターンから外部に出射した光は、導光体カバー１３の光反射面１３１で乱反射し、導光体１２の光拡散面１２２から導光体１２の内部に再入射する。再入射した光は、光出射面１２３から読取対象物Ｐの読取りラインＯに向かって出射する。
【００３５】
読取対象物Ｐからの反射光は、集光体収容部１０２に収容されている集光体１４を通過し、センサ基板１５の上面に設けられているイメージセンサ１６に結像する。イメージセンサ１６は、入射した光を電気信号に変換して出力する。そして、イメージセンサユニット１は、読取対象物Ｐに対して副走査方向に相対的に移動しながら、上述の動作を行う。これにより、イメージセンサユニット１は、読取対象物Ｐを読取ることができる。
【００３６】
イメージセンサユニット１が読取対象物Ｐを読取る際には、集光体１４の上側の焦点が読取対象物Ｐの下側の表面（イメージセンサユニット１に対向する側の表面）に位置していることが好ましい。例えば、集光体１４の上側の焦点と読取対象物Ｐの下側の表面とが集光体１４の光軸方向（ここでは上下方向）にずれていると、イメージセンサユニット１が出力する画像は、焦点が合っていない画像（いわゆるピンボケした画像）となる。本発明の実施形態では、以下に説明する第１のスペーサ装着部２１ａ〜２１ｃと第２のスペーサ装着部２２ａ〜２２ｃと第１のスペーサ３１と第２のスペーサ３２とによって、集光体１４の上側の焦点を読取対象物Ｐの下側の表面に位置するように保持できる。さらに、第１のスペーサ装着部２１ａ〜２１ｃと第２のスペーサ装着部２２ａ〜２２ｃと第１のスペーサ３１と第２のスペーサ３２とによって、集光体１４の上側の焦点と載置部材７２の上面との相対的な位置関係を変更できる。
【００３７】
（第１のスペーサおよび第１のスペーサ装着部）
ここで、第１のスペーサ３１および第１のスペーサ装着部２１ａ〜２１ｃの構成例について、図４と図５を参照して説明する。図４は、図１のＩＶ−ＩＶ線断面図であり、複数の第１のスペーサ装着部２１ａ〜２１ｃの１つに第１のスペーサ３１が装着された状態を模式的に示す断面図である。図５は、第１のスペーサ３１および第１のスペーサ装着部２１ａ〜２１ｃの構成例を模式的に示す斜視図である。
【００３８】
第１のスペーサ３１は、本体フレーム１０の主走査方向の両端部のそれぞれに設けられる複数の第１のスペーサ装着部２１ａ〜２１ｃに着脱可能に構成される。そして、第１のスペーサ３１が複数のうちのいずれか１つの第１のスペーサ装着部２１ａ〜２１ｃに装着された状態では、第１のスペーサ３１の最上端（本発明の実施形態では、後述する当接部３１２の上端）が、本体フレーム１０の最上端（本発明の実施形態では、２つの側壁１０６の上面）よりも上側に位置する状態となる。そして、イメージセンサユニット１が画像読取装置７や画像形成装置９に組み込まれた状態で、第１のスペーサ３１の最上端を載置部材７２の下面に当接させる。これにより、載置部材７２と集光体１４との距離を所望の距離に保持し、集光体１４の上側の焦点が載置部材７２の上面（読取対象物Ｐの下側の面）に位置するように保持する（図４参照）。
【００３９】
本体フレーム１０には、２つ１組の第１のスペーサ装着部２１ａ〜２１ｃの組が複数組設けられる。それぞれの第１のスペーサ装着部２１ａ〜２１ｃは、第１のスペーサ３１を着脱可能に装着できる。そして、本発明の実施形態では、１つの組を構成する２つの第１のスペーサ装着部２１ａ〜２１ｃは、それぞれに装着された第１のスペーサ３１の最上端の上下方向位置（本体フレーム１０の最上端からの上下方向距離）が同じとなるように構成される。また、装着された第１のスペーサ３１の最上端の上下方向位置は、組ごとに互いに異なる。そして、各組を構成する２つの第１のスペーサ装着部２１ａ〜２１ｃは、本体フレーム１０の主走査方向の一方の端部と他方の端部とに１つずつ設けられる。このため、本体フレーム１０の主走査方向の両端部のそれぞれには、装着された第１のスペーサ３１の最上端の上下方向位置が互いに異なる複数の第１のスペーサ装着部２１ａ〜２１ｃが設けられる。
【００４０】
本発明の実施形態では、３組の第１のスペーサ装着部２１ａ〜２１ｃの組が設けられる構成を例に示す。このためこの場合には、本体フレーム１０の主走査方向の両端部のそれぞれに、３つずつの第１のスペーサ装着部２１ａ〜２１ｃが設けられる。そして、本体フレーム１０の主走査方向の両端部のそれぞれに設けられる３つずつの第１のスペーサ装着部２１ａ〜２１ｃは、本体フレーム１０の上端から装着された第１のスペーサ３１の最上端までの距離が互いに異なる。
【００４１】
なお、本体フレーム１０に設けられる第１のスペーサ装着部２１ａ〜２１ｃの組数は、３組に限定されるものではない。２組の第１のスペーサ装着部が設けられる構成であってもよく、４組以上の第１のスペーサ装着部が設けられる構成であってもよい。そして、本体フレーム１０の主走査方向の両端部のそれぞれには、組数と同数ずつの第１のスペーサ装着部２１ａ〜２１ｃが設けられる。
【００４２】
このような構成であると、２つの第１のスペーサ３１を、ある１つの組の構成する２つの第１のスペーサ装着部２１ａ〜２１ｃのそれぞれに装着することにより、第１のスペーサ３１の最上端と本体フレーム１０の上端面との上下方向距離を変更することができる。したがって、イメージセンサユニット１が後述する画像読取装置７や画像形成装置９に組み込まれた状態で、集光体１４の上側の焦点が載置部材７２の上面に位置するように、集光体１４の上側の焦点の上下方向位置を変更できる。
【００４３】
なお、前述のとおり、各組を構成する２つの第１のスペーサ装着部２１ａ〜２１ｃは、本体フレーム１０の主走査方向の両端部のそれぞれに１つずつ設けられる。このため、２つの第１のスペーサ３１のそれぞれが、ある１つの組の構成する２つの第１のスペーサ装着部２１ａ〜２１ｃのそれぞれに装着されると、本体フレーム１０の主走査方向の両端部のそれぞれに１つずつの第１のスペーサ３１が装着された状態となる。このような構成であれば、第１のスペーサ３１の最上端を載置部材７２の下面に当接させた場合に、本体フレーム１０が載置部材７２に対して傾斜せず平行な状態に保持される。
【００４４】
図４と図５に示すように、第１のスペーサ３１は、本体部３１１と保持部３１４とを有する。第１のスペーサ３１は例えば樹脂材料からなり、射出成形によって本体部３１１と保持部３１４とが一体に形成されている。
【００４５】
本体部３１１は、上下方向に所定の寸法を有する板状や棒状の形状を有する。例えば本体部３１１には、副走査方向に長い平板状や角棒状の形状が適用できる。ただし、本体部３１１の具体的な形状は限定されるものではない。本体部３１１は、後述する複数の第１のスペーサ装着部２１ａ〜２１ｃの支持部２１１のそれぞれに載置できる寸法および形状を有していればよい。
【００４６】
本体部３１１の上面には、上側に突出する当接部３１２が設けられていてもよい。当接部３１２は、イメージセンサユニット１が画像読取装置７や画像形成装置９に組み込まれた状態で、載置部材７２の下面に当接させる部分である。この場合、当接部３１２の上端が、第１のスペーサ３１の全体の最上端（最上部）となり、載置部材７２の下面に当接する。例えば、当接部３１２には、本体部３１１の上面から上側に向かって突出する柱状や半球状の形状が適用できる。なお、当接部３１２の数や形状は特に限定されるものではない。また、本体部３１１に当接部３１２が設けられない構成であってもよい。この場合には、本体部３１１の上面が第１のスペーサ３１の最上端（最上部）となり、本体部３１１の上面が載置部材７２の下面に当接することになる。
【００４７】
本体部３１１の下面には、第１のスペーサ装着部２１ａ〜２１ｃに位置決めする（外れないようにする）ための位置決め部３１３が設けられていてもよい。図４と図５においては、位置決め部３１３として、本体部３１１の下面から下側に突出する突起が適用される例を示す。ただし、位置決め部３１３の構成は特に限定されるものではない。また、本体部３１１に位置決め部３１３が設けられない構成であってもよい。また、本体部３１１の具体的な上下方向寸法（厚さ）は限定されるものではないが、複数のうちの上下方向位置が最も低い第１のスペーサ装着部２１ａ〜２１ｃに装着された状態において、最上端（本体部３１１の上面または当接部３１２の上端）が本体フレーム１０の最上端よりも上側に突出するような寸法に設定される。
【００４８】
保持部３１４は、第１のスペーサ３１が第１のスペーサ装着部２１ａ〜２１ｃに装着された状態を保持するための部分である。保持部３１４は、本体部３１１の副走査方向の両端部のそれぞれから下側に延出する棒状や板状の構成を有し、副走査方向に弾性変形可能に形成される。このため、第１のスペーサ３１は、主走査方向視において、全体として略「逆Ｕ字」形状を有する。保持部３１４の先端には係止部３１５が設けられる。係止部３１５は、例えば、２つの保持部３１４の互いに対向する面から副走査方向に突出する突起が適用できる。ただし、係止部３１５は、後述する第１のスペーサ装着部２１ａ〜２１ｃの被係止部２１２に係止可能な構成であればよく、具体的な構成は限定されない。
【００４９】
複数の第１のスペーサ装着部２１ａ〜２１ｃのそれぞれは、第１のスペーサ３１の本体部３１１を載置可能（支持可能）な支持部２１１と、係止部３１５が係止可能な被係止部２１２とを有する。支持部２１１は、例えば上側を向く平面状の部分である。第１のスペーサ３１の本体部３１１に突起状の位置決め部３１３が設けられる場合には、第１のスペーサ装着部２１ａ〜２１ｃの支持部２１１には、第１のスペーサ３１の位置決め部３１３を挿入可能な位置決め凹部２１３が設けられる。なお、支持部２１１は、第１のスペーサ３１の本体部３１１（すなわち、第１のスペーサ３１の少なくとも一部分）を載置できる構成であればよく、具体的な構成は限定されるものではない。また、被係止部２１２には、例えば、本体フレーム１０の側面に設けられる凹部や、本体フレーム１０の下面に設けられる切欠きが適用できる。被係止部２１２は、第１のスペーサ３１の係止部３１５が係止可能な構成であればよく、具体的な構成は限定されるものではない。
【００５０】
また、複数の第１のスペーサ装着部２１ａ〜２１ｃは、装着された第１のスペーサ３１の最上端の位置が互いに異なるように、支持部２１１の上下方向位置（具体的には、本体フレーム１０の最上端（側壁１０６の上面）からの上下方向距離（集光体１４の光軸方向の距離））が互いに異なる。支持部２１１の上下方向位置（集光体１４の光軸方向の位置）が互いに異なる構成であれば、それらに装着される第１のスペーサ３１の本体部３１１の上下方向位置が互いに異なるから、第１のスペーサ３１の最上端の上下方向位置が互いに異なる。ただし、本体フレーム１０の主走査方向の両端部のそれぞれに設けられる複数の第１のスペーサ装着部２１ａ〜２１ｃは、支持部２１１および被係止部２１２の上下方向位置が異なるほかは、同じ構成を有する。すなわち、複数の第１のスペーサ３１には、同一構成の第１のスペーサ３１を装着できる。換言すると、１つの第１のスペーサ３１は、複数の第１のスペーサ装着部２１ａ〜２１ｃのいずれにも装着できる。また、１つの組を構成する２つの第１のスペーサ装着部２１ａ〜２１ｃの支持部２１１の上下方向位置は同じである。これにより、１つの組を構成する２つの第１のスペーサ装着部２１ａ〜２１ｃのそれぞれに第１のスペーサ３１が装着された状態で、これら２つの第１のスペーサ３１の最上端の上下方向位置が同じとなる。
【００５１】
支持部２１１の上下方向位置が互いに異なる複数の第１のスペーサ装着部２１ａ〜２１ｃが、本体フレーム１０の主走査方向の両端部のそれぞれに、主走査方向に直列に並ぶように設けられる。図４と図５においては、本体フレーム１０の主走査方向の両端部のそれぞれに、支持部２１１の上下方向位置が互いに異なる３つの第１のスペーサ装着部２１ａ〜２１ｃが設けられる構成を例に示す。そしてこの例では、支持部２１１の上下方向位置が最も高い（最も上側に位置する）第１のスペーサ装着部２１ａは、主走査方向の中央寄りに位置するように設けられる。支持部２１１の上下方向位置が２番目に高い第１のスペーサ装着部２１ｂは、支持部２１１の上下方向位置が最も高い第１のスペーサ装着部２１ａの主走査方向の外側に隣接して設けられる。支持部２１１の上下方向位置が最も低い（最も下側に位置する）第１のスペーサ装着部２１ｃは、主走査方向の最も端側に位置するように設けられる。このように、上下方向位置が同じである２つの第１のスペーサ装着部２１ａ〜２１ｃは、本体フレーム１０に線対称に設けられる。また、このような構成であると、本体フレーム１０の主走査方向の両端部のそれぞれは、主走査方向の端側に向かうにしたがって段階的に低くなる階段状に形成される。
【００５２】
なお、複数の第１のスペーサ装着部２１ａ〜２１ｃの配列は、前述の構成に限定されない。本体フレーム１０の主走査方向の両端部のそれぞれに、支持部２１１の上下方向位置が互いに異なる複数の第１のスペーサ装着部２１ａ〜２１ｃが設けられる構成であればよい。
【００５３】
そして、第１のスペーサ３１は、複数の第１のスペーサ装着部２１ａ〜２１ｃに着脱可能に装着できる。第１のスペーサ３１が複数の第１のスペーサ装着部２１ａ〜２１ｃのいずれかに装着されると、第１のスペーサ３１の本体部３１１が第１のスペーサ装着部２１ａ〜２１ｃの支持部２１１の上面に載置された状態となり、第１のスペーサ３１の２つの保持部３１４が副走査方向の両外側からが本体フレーム１０を挟む状態となる。そして、第１のスペーサ３１の係止部３１５が第１のスペーサ装着部２１ａ〜２１ｃの被係止部２１２に係止する（嵌まり込む）。このため、第１のスペーサ３１は、第１のスペーサ装着部２１ａ〜２１ｃに装着された状態に保持される。また、第１のスペーサ３１の本体部３１１に設けられる位置決め部３１３が第１のスペーサ装着部２１ａ〜２１ｃの位置決め凹部２１３に嵌まり込むことにより、第１のスペーサ３１の本体部３１１が第１のスペーサ装着部２１ａ〜２１ｃの支持部２１１から外れ出ないよう位置決めされた状態に保持される。なお、第１のスペーサ３１を取り外す場合には、保持部３１４を副走査方向外側に弾性変形させ、係止部３１５を被係止部２１２から抜けばよい。また、複数の第１のスペーサ装着部２１ａ〜２１ｃは、それぞれ共通の構成を有していることから、複数の第１のスペーサ装着部２１ａ〜２１ｃの任意の１つに、１つの第１のスペーサ３１を装着できる。このように、第１のスペーサ３１は、複数の第１のスペーサ装着部２１ａ〜２１ｃに着脱可能に装着できる。
【００５４】
そして、第１のスペーサ３１が第１のスペーサ装着部２１ａ〜２１ｃに装着された状態において、本体フレーム１０の最上端（側壁１０６の上面）から第１のスペーサ３１の最上端までの上下方向距離は、第１のスペーサ３１が装着されている第１のスペーサ装着部２１ａ〜２１ｃに応じて異なる。このように、複数の第１のスペーサ装着部２１ａ〜２１ｃのいずれか１つに選択的に第１のスペーサ３１を装着することにより、本体フレーム１０の最上端から第１のスペーサ３１の最上端までの上下方向距離を多段階に変更できる。このため、イメージセンサユニット１が画像読取装置７や画像形成装置９に組み込まれた状態で、集光体１４の上側の焦点の位置（特に、載置部材７２の上面との相対的な位置関係）を、多段階に変更できる（図５参照）。
【００５５】
（第２のスペーサおよび第２のスペーサ装着部）
次に、第２のスペーサ３２および第２のスペーサ装着部２２ａ〜２２ｃの構成例について、図６を参照して説明する。図６は、第２のスペーサ３２および第２のスペーサ装着部２２ａ〜２２ｃの構成例を模式的に示す斜視図である。
【００５６】
第２のスペーサ３２は、本体フレーム１０の２つの側壁１０６のそれぞれに設けられる複数の第２のスペーサ装着部２２ａ〜２２ｃのそれぞれに着脱可能に構成される。第２のスペーサ３２がある１つの第２のスペーサ装着部２２ａ〜２２ｃに装着された状態では、第２のスペーサ３２の最上端が、本体フレーム１０の最上端よりも上側に位置する状態となる。そして、イメージセンサユニット１が画像読取装置７や画像形成装置９に組み込まれた状態で、第２のスペーサ３２の最上端を載置部材７２の下面に当接させる。これにより、載置部材７２と集光体１４との距離を所望の距離に保持でき、集光体１４の上側の焦点が載置部材７２の上面（読取対象物Ｐの下側の面）に位置するように保持できる。
【００５７】
本体フレーム１０には、２つで１組の第２のスペーサ装着部２２ａ〜２２ｃの組が複数組設けられる。１つの組を構成する２つの第２のスペーサ装着部２２ａ〜２２ｃは、それぞれに第２のスペーサ３２が装着された状態で、２つの第２のスペーサ３２の最上端の上下方向位置が同じとなるように構成される。また、第２のスペーサ装着部２２ａ〜２２ｃに第２のスペーサ３２が装着された状態において、本体フレーム１０の最上端から第２のスペーサ３２の最上端までの上下方向距離は、組ごとに互いに異なる。そして、１つの組を構成する２つの第２のスペーサ装着部２２ａ〜２２ｃは、本体フレーム１０の２つの側壁１０６のそれぞれに１つずつ設けられる。このため、本体フレーム１０の２つの側壁１０６のそれぞれには、第２のスペーサ３２が装着された状態で本体フレーム１０の最上端から第２のスペーサ３２の最上端までの距離が互いに異なる複数の第２のスペーサ装着部２２ａ〜２２ｃが設けられる。
【００５８】
なお、１つの組を構成する２つの第２のスペーサ装着部２２ａ〜２２ｃは、上下方向視（集光体１４の光軸方向視）において、本体フレーム１０の中心Ｃに関して点対称の位置に設けられることが好ましい。例えば、図６においては、２つの第２のスペーサ装着部２２ａが１つの組をなし、２つの第２のスペーサ装着部２２ｂが１つの組をなし、２つの第２のスペーサ装着部２２ｃが１つの組をなす。そして、２つの第２のスペーサ装着部２２ａは、上下方向視（集光体１４の光軸方向視）において本体フレーム１０の中心Ｃに関して点対称の位置に設けられる。２つの第２のスペーサ装着部２２ｂと２つの第２のスペーサ装着部２２ｃも同様である。
【００５９】
また、本発明の実施形態では、第２のスペーサ装着部２２ａ〜２２ｃの組数は、第１のスペーサ装着部２１ａ〜２１ｃの組数と同じである。そして、第１のスペーサ装着部２１ａ〜２１ｃの各組と第２のスペーサ装着部２２ａ〜２２ｃの各組とは、一対一で対応している。対応する組の第１のスペーサ装着部２１ａ〜２１ｃと第２のスペーサ装着部２２ａ〜２２ｃのそれぞれに第１のスペーサ３１と第２のスペーサ３２を装着した場合、これらの第１のスペーサ３１と第２のスペーサ３２の最上端の上下方向位置（集光体１４の光軸方向位置）は同じである。
【００６０】
本発明の実施形態では、第１のスペーサ装着部２１ａ〜２１ｃの組数と同数の３組の第２のスペーサ装着部２２ａ〜２２ｃの組が設けられる構成を例に示す。このためこの場合には、本体フレーム１０の２つの側壁１０６のそれぞれに、３つずつの第２のスペーサ装着部２２ａ〜２２ｃが設けられる。ただし、第２のスペーサ装着部２２ａ〜２２ｃの組数は、第１のスペーサ装着部２１ａ〜２１ｃの組数と同数であればよく、３組に限定されるものではない。
【００６１】
このような構成であると、２つの第２のスペーサ３２を、ある１つの組の構成する２つの第２のスペーサ装着部２２ａ〜２２ｃのそれぞれに装着することにより、本体フレーム１０の最上端から第２のスペーサ３２の最上端までの上下方向距離を多段階に変更できる。したがって、イメージセンサユニット１が画像読取装置７や画像形成装置９に組み込まれた状態で、集光体１４の上側の焦点が載置部材７２の上面に位置するように、集光体１４の上側の焦点の上下方向位置を多段階に変更できる。
【００６２】
また、前述のとおり、各組を構成する２つの第２のスペーサ装着部２２ａ〜２２ｃは、本体フレーム１０の２つの側壁１０６のそれぞれに１つずつ設けられる。このため、２つの第２のスペーサ３２のそれぞれが、ある１つの組の構成する２つの第２のスペーサ装着部２２ａ〜２２ｃのそれぞれに装着されると、本体フレーム１０の２つの側壁１０６のそれぞれに１つずつの第２のスペーサ３２が装着された状態となる。そして、前述のように、各組を構成する２つずつの第２のスペーサ装着部２２ａ〜２２ｃが、上下方向視（集光体１４の光軸方向視）において本体フレーム１０の中心Ｃに関して点対称の位置に設けられる。このような構成であると、第２のスペーサ３２を載置部材７２に当接させた場合において、本体フレーム１０が載置部材７２に対して傾斜することが抑制される。
【００６３】
図６に示すように、第２のスペーサ３２は、本体部３２１と保持部３２４とを有する。第２のスペーサ３２は例えば樹脂材料からなり、射出成形によって本体部３２１と３２４とが一体に形成されている。
【００６４】
本体部３２１は、上下方向に所定の寸法を有する板状やブロック状の形状を有する。例えば本体部３２１には、上下方向視において円形や四角形の板やブロックが適用できる。ただし、本体部３２１の具体的な形状は限定されるものではない。本体部３２１は、複数の第２のスペーサ装着部２２ａ〜２２ｃのそれぞれの支持部２２１に載置可能な寸法および形状を有していればよい。また、第１のスペーサ３１と同様に、本体部３２１の上面には、上側に突出する当接部が設けられていてもよい。当接部が設けられる構成であれば、当接部の上端が、第２のスペーサ３２の全体の最上端となり、載置部材７２の下面に当接することになる。例えば、当接部には、本体部３２１の上面から上側に向かって突出する柱状や半球状の形状が適用できる。なお、当接部の形状は特に限定されるものではない。また、本体部３２１に当接部が設けられない構成であってもよい。この場合には、本体部３２１の上面が第２のスペーサ３２の最上端となり、本体部３２１の上面が載置部材７２の下面に当接することになる。また、本体部３２１の具体的な上下方向寸法は限定されるものではないが、複数のうちの上下方向位置が最も低い第２のスペーサ装着部２２ａ〜２２ｃに装着された状態において、最上端（本体部３２１の上面または当接部の上端）が本体フレーム１０の上面よりも上側に突出するような寸法に設定される。
【００６５】
本体部３２１の下面には、第２のスペーサ装着部２２ａ〜２２ｃに保持するための（外れないようにする）ための保持部３２４が設けられていてもよい。図６においては、保持部３２４として、本体部３２１の下面から下側に突出する突起が適用される例を示す。この場合、第２のスペーサ３２は、側面視において略「Ｔ」字形状となる。ただし、保持部３２４の構成は特に限定されるものではない。
【００６６】
複数の第２のスペーサ装着部２２ａ〜２２ｃのそれぞれは、第２のスペーサ３２の本体部３２１を載置可能な支持部２２１と、保持部３２４を嵌め込むことができる保持孔２２３とを有する。支持部２２１は、例えば本体フレーム１０の側壁１０６の上面に設けられる凹状の部分である。なお、支持部２２１は、第２のスペーサ３２の本体部３２１（すなわち、第２のスペーサ３２の少なくとも一部分）を載置できる構成であればよく、具体的な構成は限定されるものではない。保持孔２２３は、この支持部２２１（すなわち凹部の底面）に設けられる。保持孔２２３は、第２のスペーサ３２の保持部３２４を嵌め込むことができる構成であればよく、具体的な構成は限定されるものではない。
【００６７】
２つの側壁１０６のそれぞれに設けられる複数の第２のスペーサ装着部２２ａ〜２２ｃの支持部２２１（すなわち、凹部の底面）は、上下方向位置が互いに異なる。このため、第２のスペーサ３２がいずれの第２のスペーサ装着部２２ａ〜２２ｃに装着されたかによって、本体フレーム１０の最上端から第２のスペーサ３２の最上端までの上下方向距離が異なる。ただし、１つの組を構成する２つの第２のスペーサ装着部２２ａ〜２２ｃの支持部２２１の上下方向位置は同じであり、装着された２つの第２のスペーサ３２の最上端の上下方向位置が同じとなる。そして、支持部２２１の上下方向位置が互いに異なる複数の第２のスペーサ装着部２２ａ〜２２ｃが、本体フレーム１０の２つの側壁１０６のそれぞれに、主走査方向に直列に並ぶように設けられる。図６においては、本体フレーム１０の側壁１０６の主走査方向の中央部（両端部に設けられる複数の第１のスペーサ装着部２１ａ〜２１ｃどうしの間）に、支持部２２１の上下方向位置が互いに異なる３つの第２のスペーサ装着部２２ａ〜２２ｃが設けられる構成を例に示す。
【００６８】
第２のスペーサ３２は、複数の第２のスペーサ装着部２２ａ〜２２ｃのそれぞれに着脱可能に装着できる。第２のスペーサ３２が第２のスペーサ装着部２２ａ〜２２ｃに装着されると、第２のスペーサ３２の本体部３２１が第２のスペーサ装着部２２ａ〜２２ｃの支持部２２１の上面に載置された状態となり、第２のスペーサ３２の保持部３２４が保持孔２２３に嵌まり込んだ状態となる。このため、第２のスペーサ３２が第２のスペーサ装着部２２ａ〜２２ｃに装着された状態に保持される。また、第２のスペーサ３２の保持部３２４を保持孔２２３から引き抜くことにより、第２のスペーサ３２を第２のスペーサ装着部２２ａ〜２２ｃから取り外すことができる。また、複数の第２のスペーサ装着部２２ａ〜２２ｃは、支持部２２１の上下方向位置を除いては共通の構成を有している。このため、複数の第２のスペーサ装着部２２ａ〜２２ｃの任意の１つに、１つの共通の第２のスペーサ３２を装着できる。このように、第２のスペーサ３２は、複数の第２のスペーサ装着部２２ａ〜２２ｃのそれぞれに、着脱可能に装着できる。
【００６９】
２つの側壁１０６のそれぞれに設けられる複数の第２のスペーサ装着部２２ａ〜２２ｃの支持部２２１の上下方向位置は互いに異なる。また、集光体１４は本体フレーム１０の集光体収容部１０２に収容されて固定されている。このため、第２のスペーサ装着部２２ａ〜２２ｃに第２のスペーサ３２が装着された状態において、本体フレーム１０の最上端から第２のスペーサ３２の最上端までの上下方向距離は、第２のスペーサ３２が装着されている第２のスペーサ装着部２２ａ〜２２ｃに応じて互いに異なる。このため、複数の第２のスペーサ装着部２２ａ〜２２ｃのいずれか１つに選択的に第２のスペーサ３２を装着することにより、集光体１４の上側の焦点の上下方向位置（特に、載置部材７２の上面に対する相対的な位置）を多段階に変更することができる。
【００７０】
（第２のスペーサと第２のスペーサ装着部の他の構成例）
次に、第２のスペーサ３２および第２のスペーサ装着部２２ａ〜２２ｃの他の構成例について、図７を参照して説明する。図７は、第２のスペーサ３２および第２のスペーサ装着部２２ａ〜２２ｃの他の構成例を模式的に示す斜視図である。図７に示すように、他の例に係る第２のスペーサ３３は、本体部３３１と、本体部３３１の副走査方向の一方の端部から下側に向かって延出する保持部３３４とを有する。第２のスペーサ３３の本体部３３１は、第１のスペーサ３１の本体部３１１と同様の構成が適用できる。すなわち、本体部３３１の上面から上側に突出する当接部３３２が設けられるとともに、下側に突出する位置決め部３３３が設けられる構成が適用できる。保持部３３４の先端（下側の端部）は、副走査方向の一方であって本体部３３１が設けられる側と同じ側に延出している。このため、第２のスペーサ３３は、主走査方向視において、略「Ｃ」字形状を有する。第２のスペーサ装着部２２ａ〜２２ｃは、支持部２２１と被係止部２２２とを有する。支持部２２１の構成は、前述の構成と同じでよい。被係止部２２２は、本体フレーム１０の側壁１０６の下端面に設けられる凹状の構成を有しており、支持部２２１の下方（例えば、上下方向視において支持部２２１に重畳する位置）に設けられる。
【００７１】
そして、第２のスペーサ３３の本体部３３１を第２のスペーサ装着部２２ａ〜２２ｃの支持部２２１に載置し、第２のスペーサ３３の保持部３３４の先端に設けられる係止部３３５を第２のスペーサ装着部２２ａ〜２２ｃの被係止部２２２に係止させることによって、第２のスペーサ３２を第２のスペーサ装着部２２ａ〜２２ｃに装着できる。第２のスペーサ３３が第２のスペーサ装着部２２ａ〜２２ｃに装着された状態では、第２のスペーサ３３の最上端（当接部３３２が設けられる構成であれば当接部３３２の上端）が、本体フレーム１０の側壁１０６の最上端よりも上側に突出した状態となる。また、第２のスペーサ３３の本体部３３１と保持部３３４の先端の係止部３３５とで、本体フレーム１０の側壁１０６を上下から挟んだ状態となる。これにより、第２のスペーサ３３が第２のスペーサ装着部２２ａ〜２２ｃに装着された状態に保持される。第２のスペーサ３３を第２のスペーサ装着部２２ａ〜２２ｃから取り外す場合には、保持部３３４および係止部３３５を弾性変形させればよい。このように、第２のスペーサ３３は、第２のスペーサ装着部２２ａ〜２２ｃに着脱可能に装着できる。
【００７２】
（使用方法および効果）
ここで、第１のスペーサ３１と第２のスペーサ３２，３３の使用方法および効果について説明する。イメージセンサユニット１の各部材の寸法公差や組み立ての公差によって、集光体１４の上側の焦点の実際の上下方向位置（例えば、本体フレーム１０の最上端に対する上下方向の位置）が、設計上の位置からずれることがある。例えば、集光体１４を本体フレーム１０に組み付ける際に、集光体１４が本体フレーム１０に対して位置ずれすると、本体フレーム１０の上端面から集光体１４の上側の焦点までの上下方向距離が、設計値からずれることがある。このため、イメージセンサユニット１を画像読取装置７や画像形成装置９に組み込んだ状態で、載置部材７２と本体フレーム１０との距離を設計値とすると、集光体１４の上側の焦点の位置が載置部材７２の上面から上下にずれることがある。一般的に、集光体１４に用いられるロッドレンズアレイは焦点深度が浅いため、集光体１４の上側の焦点の実際の上下方向位置が設計上の上下方向位置からずれると、イメージセンサユニット１が出力する画像は、焦点の合っていないピンボケした画像になる。このように、イメージセンサユニット１が出力する画像の画質（特に解像度）は、イメージセンサユニット１の各部材の寸法公差や組み立ての公差の影響を受ける。そして、この公差は個体差があることから、集光体１４の上側の焦点の実際の位置と設計上の位置とのズレ量も個体差がある。
【００７３】
前述のとおり、複数の組の第１のスペーサ装着部２１ａ〜２１ｃの支持部２１１と複数の組の第２のスペーサ装着部２２ａ〜２２ｃの支持部２２１は、組ごとに上下方向が互いに異なる。このような構成であると、本体フレーム１０の最上端から第１のスペーサ３１の最上端と第２のスペーサ３２，３３の最上端（当接部３１２，３３２が設けられる場合には、当接部３１２，３３２の上端）までの上下方向距離は、第１のスペーサ３１と第２のスペーサ３２，３３がいずれの第１のスペーサ装着部２１ａ〜２１ｃと第２のスペーサ装着部２２ａ〜２２ｃに装着されたかによって互いに異なる。このため、第１のスペーサ３１と第２のスペーサ３２，３３の最上端を載置部材７２の下面に当接させた状態において、集光体１４の上側の焦点の載置部材７２の上面に対する相対的な位置関係は、第１のスペーサ３１と第２のスペーサ３２，３３がいずれの第１のスペーサ装着部２１ａ〜２１ｃと第２のスペーサ装着部２２ａ〜２２ｃに装着されたかによって異なる。そこで、複数の組のうちの１組の第１のスペーサ装着部２１ａ〜２１ｃと複数の組のうちの１組の第２のスペーサ装着部２２ａ〜２２ｃに、選択的に第１のスペーサ３１と第２のスペーサ３２，３３を１つずつ装着する。この際、対応する組の２つの第１のスペーサ装着部２１ａ〜２１ｃと２つの第２のスペーサ装着部２２ａ〜２２ｃに、第１のスペーサ３１と第２のスペーサ３２，３３を装着する。これにより、第１のスペーサ３１と第２のスペーサ３２，３３の最上端を載置部材７２の下面に当接させた状態において、集光体１４の上側の焦点が載置部材７２の上面に位置するようにできる。なお、第１のスペーサ３１と第２のスペーサ３２，３３の装着（すなわち、集光体１４の上側の焦点の上下方向位置の調整）は、イメージセンサユニット１の個体ごとに、組み付けの完了後に行えばよい。
【００７４】
第１のスペーサ３１および第２のスペーサ３２，３３が装着されたイメージセンサユニット１は、画像読取装置７や画像形成装置９に組み込まれた状態では、付勢部材１８（図４参照）によって上側に付勢される。そして、第１のスペーサ３１と第２のスペーサ３２，３３のそれぞれの最上端が載置部材７２の下面に当接した状態に保持される。この状態では、第１のスペーサ３１の本体部３１１に設けられる位置決め部３１３が第１のスペーサ装着部２１ａ〜２１ｃに設けられる位置決め凹部２１３に嵌まり込んだ状態に保持されるため、第１のスペーサ３１の本体部３１１が第１のスペーサ装着部２１ａ〜２１ｃの支持部２１１から外れることがない。したがって、第１のスペーサ３１の本体部３１１は、第１のスペーサ装着部２１ａ〜２１ｃの支持部２１１に載置された状態に保持される。また、第２のスペーサ３２の保持部３２４が、第２のスペーサ装着部２２ａ〜２２ｃの保持孔２２３に嵌まり込んだ状態に保持される。このため、第２のスペーサ３２の本体部３１１が第２のスペーサ装着部２２ａ〜２２ｃの支持部２２１から外れることがない。他の例に係る第２のスペーサ３３は、本体部３３１と係止部３３５とで側壁１０６を上下から挟んだ状態となる。したがって、第２のスペーサ３２，３３の本体部３２１，３３１は、第２のスペーサ装着部２２ａ〜２２ｃの支持部２２１に載置された状態に保持される。
【００７５】
このような構成によれば、集光体１４の上側の焦点の上下方向位置の調整に要する部材の種類な数の削減を図ることができる。例えば、シート状のスペーサやシムなどによって集光体１４の上側の焦点の上下方向位置を変更する構成では、互いに異なる複数の種類の厚さのスペーサやシムをあらかじめ用意しておかなければならない。このため、スペーサやシムの管理に手間を要する。また、寸法などが互いに異なる複数種類の部材を作成しなければならないことから、イメージセンサユニット１の製造コストの上昇を招く。これに対して本発明の実施形態によれば、第１のスペーサ３１と第２のスペーサ３２，３３は、それぞれ１種類ずつでよい。このため、第１のスペーサ３１と第２のスペーサ３２，３３の管理の手間を削減できるほか、製造する部材の種類を削減することができるからイメージセンサユニット１の製造コストの削減を図ることができる。
【００７６】
また、前述のとおり、支持部２２１の上下方向位置が同じである２つの第２のスペーサ装着部２２ａ〜２２ｃが、上下方向視（集光体１４の光軸方向視）において本体フレーム１０の中心Ｃに関して点対称の位置に設けられる構成であることが好ましい。このような構成であると、２つの第２のスペーサ３２，３３は、上下方向視（集光体１４の光軸方向視）で本体フレーム１０の中心Ｃに関して点対称の２箇所で、載置部材７２の下面に当接することになる。したがって、本体フレーム１０が載置部材７２に対して傾斜することが抑制される。すなわち、例えば、上下方向位置が同じである２つの第２のスペーサ装着部２２ａ〜２２ｃが設けられず、１つの第２のスペーサ３２，３３が装着される構成であると、この１つの第２のスペーサ３２，３３が載置部材７２の下面に当接する箇所を支点として、本体フレーム１０が載置部材７２の下面に対して傾斜するおそれがある。そして、本体フレーム１０が載置部材７２の下面に対して傾斜すると、集光体１４の上面から載置部材７２の上面までの距離が不均一になる。そうすると、イメージセンサユニット１が出力する画像は、部分的にピンボケした画像になるおそれがある。これに対して、本発明の実施形態によれば、本体フレーム１０が載置部材７２の下面に対して傾斜することが抑制されるから、集光体１４の上面と載置部材７２との距離が均一に保持される。したがって、イメージセンサユニット１が出力する画像の画質の向上を図ること（画質の低下を抑制すること）ができる。
【００７７】
また、本発明の実施形態によれば、集光体１４の上側の焦点の上下方向位置の変更（調整）の作業が容易となる。例えば、前述のように互いに異なる複数のスペーサやシムを用いる構成では、複数の種類のスペーサやシムからの選択を試行錯誤的に行わなければならない。これに対して本発明の実施形態によれば、第１のスペーサ３１と第２のスペーサ３２，３３は１種類ずつのみであり、集光体１４の上側の焦点の上下方向の位置を変更するためには、第１のスペーサ装着部２１ａ〜２１ｃと第２のスペーサ装着部２２ａ〜２２ｃから取り外した第１のスペーサ３１と第２のスペーサ３２，３３を、それぞれ別の第１のスペーサ装着部２１ａ〜２１ｃと第２のスペーサ装着部２２ａ〜２２ｃに装着するだけでよい。また、本発明の実施形態によれば、第１のスペーサ３１と第２のスペーサ３２，３３は、いずれも上側から第１のスペーサ装着部２１ａ〜２１ｃと第２のスペーサ装着部２２ａ〜２２ｃに押し込むだけで装着できる。したがって、集光体１４の上側の焦点の上下方向位置の調整の作業が容易となる。
【００７８】
また、両面粘着テープを用いる構成では、第１のスペーサ３１と第２のスペーサ３２，３３を交換する際に、両面粘着テープの剥離と貼付の作業が必要になる。このため、作業に手間を要する。これに対して、本発明の実施形態では、両面粘着テープを用いなくても、第１のスペーサ３１は第１のスペーサ装着部２１ａ〜２１ｃに装着された状態に保持され、第２のスペーサ３２，３３は第２のスペーサ装着部２２ａ〜２２ｃに装着された状態に保持される。したがって、集光体１４の上側の焦点の上下方向位置の調整の作業が容易となる。
【００７９】
また、本発明の実施形態によれば、第１のスペーサ３１と第２のスペーサ３２，３３と第１のスペーサ装着部２１ａ〜２１ｃと第２のスペーサ装着部２２ａ〜２２ｃの小型化を図ることができる。例えば、両面粘着テープを用いて第１のスペーサ３１と第２のスペーサ３２，３３を第１のスペーサ装着部２１ａ〜２１ｃと第２のスペーサ装着部２２ａ〜２２ｃのそれぞれに貼り付ける構成では、両面粘着テープの厚さの管理が困難であるから、距離の調整に用いられる部分に両面粘着テープが介在しないようにしなければならない。このため、第１のスペーサ装着部２１ａ〜２１ｃと第２のスペーサ装着部２２ａ〜２２ｃと第１のスペーサ３１と第２のスペーサ３２，３３のそれぞれには、実際に距離の調整に用いられる部分とは別に、両面粘着テープを貼付するスペースとが必要になる。したがって、第１のスペーサ３１と第２のスペーサ３２，３３が大型化するとともに、第１のスペーサ装着部２１ａ〜２１ｃおよび第２のスペーサ装着部２２ａ〜２２ｃが大型化する。その結果、イメージセンサユニット１の大型化を招く。これに対して、本実施形態によれば、粘着テープを用いないから、粘着テープを貼付するスペースが不要である。したがって、第１のスペーサ３１と第２のスペーサ３２，３３と第１のスペーサ装着部２１ａ〜２１ｃと第２のスペーサ装着部２２ａ〜２２ｃの小型化を図ることができる。また、イメージセンサユニット１の小型化を図ることができる。
【００８０】
なお、本発明の実施形態では、イメージセンサユニット１が、本体フレーム１０の上側を覆うカバー部材を有さない構成を例に示したが、イメージセンサユニット１がカバー部材を有していてもよい。この場合、第１のスペーサ装着部２１ａ〜２１ｃと第１のスペーサ３１は、第１のスペーサ装着部２１ａ〜２１ｃに第１のスペーサ３１が装着された状態で、第１のスペーサ３１の最上端がカバー部材の上面よりも上側に位置するように構成される。同様に、第２のスペーサ装着部２２ａ〜２２ｃと第２のスペーサ３２，３３は、第２のスペーサ装着部２２ａ〜２２ｃに第２のスペーサ３２，３３が装着された状態で、第２のスペーサ３２，３３の最上端が、カバー部材の上面よりも上側に位置するように構成される。また、カバー部材と第２のスペーサ３２，３３との干渉を避けるため、カバー部材には、第２のスペーサ装着部２２ａ〜２２ｃに対応する位置に切欠きなどが設けられる。また、カバー部材の副走査方向寸法を、側壁１０６どうしの間の距離よりも小さくしてもよい。
【００８１】
なお、上記実施形態では、第２のスペーサ装着部２２ａ〜２２ｃが本体フレーム１０の側壁１０６に設けられる構成を示したが、第２のスペーサ装着部２２ａ〜２２ｃが設けられる位置は側壁１０６に限定されない。要は、第２のスペーサ装着部２２ａ〜２２ｃは、本体フレーム１０の上面であって、導光体１２や集光体１４などと干渉しない位置に設けられる構成であればよい。例えば、本体フレーム１０が側壁１０６を有さない構成であれば、本体フレーム１０の副走査方向（短尺方向）の両端部（すなわち上下方向視における長辺）に沿った位置またはその近傍に、主走査方向（長尺方向）に並べて設けられる構成が適用できる。
【００８２】
また、上記実施形態では、本体フレーム１０に第１のスペーサ装着部２１ａ〜２１ｃと第２のスペーサ装着部２２ａ〜２２ｃの両方が設けられる構成を示したが、いずれか一方のみが設けられる構成であってもよい。
【００８３】
＜画像読取装置＞
次に、画像読取装置７の構成例について、図８を参照して説明する。図８は、本発明の実施形態であるイメージセンサユニット１を適用できる画像読取装置７の構成例を模式的に示す外観斜視図である。本実施形態では、画像読取装置７として、フラットベッド方式のスキャナーを示す。画像読取装置７は、筺体７１と、載置部材７２の例であるプラテンガラスと、イメージセンサユニット１と、イメージセンサユニット１を駆動する駆動機構と、回路基板７３と、プラテンカバー７４とを有する。載置部材７２の例であるプラテンガラスは、ガラスなどの透明板からなり、筺体７１の上面に取り付けられる。プラテンカバー７４は、載置部材７２に載置された読取対象物Ｐを覆うように、筺体７１に対してヒンジ機構などを介して開閉可能に取付けられる。イメージセンサユニット１と、このイメージセンサユニット１を駆動するための駆動機構と、回路基板７３とは、筺体７１の内部に収容される。
【００８４】
駆動機構は、保持部材７５０と、ガイドシャフト７５１と、駆動モーター７５２と、ワイヤー７５４とを含む。保持部材７５０は、イメージセンサユニット１を囲むように保持する。また、保持部材７５０とイメージセンサユニット１との間には付勢部材１８（図４参照）が設けられており、この付勢部材１８によってイメージセンサユニット１が載置部材７２に向けて付勢され、第１のスペーサ３１と第２のスペーサ３２が載置部材７２の下面に接触した状態に保持される。ガイドシャフト７５１は、保持部材７５０を載置部材７２に沿って読取方向（副走査方向）に移動可能にガイドする。駆動モーター７５２と保持部材７５０とはワイヤー７５４を介して連結されており、駆動モーター７５２の駆動力によってイメージセンサユニット１を保持する保持部材７５０を副走査方向に移動させる。そして、イメージセンサユニット１は、駆動モーター７５２の駆動力によって副走査方向に移動しながら、載置部材７２に載置された読取対象物Ｐを読み取る。このように、画像読取装置７は、イメージセンサユニット１と読取対象物Ｐとを相対的に副走査方向に移動させながら、読取対象物Ｐを読み取る。
【００８５】
回路基板７３には、イメージセンサユニット１が読み取った画像に所定の画像処理を施す画像処理回路や、イメージセンサユニット１を含む画像読取装置７の各部を制御する制御回路や、画像読取装置７の各部に電力を供給する電源回路などが構築される。
【００８６】
以上、本発明を適用できるイメージセンサユニット１を用いた画像読取装置７の例としてフラットベッド方式のスキャナーを示したが、画像読取装置７は、フラットベッド方式のスキャナーに限定されない。要は、読取対象物Ｐを載置するプラテンガラスなどの載置部材７２を有し、イメージセンサユニット１をこの載置部材７２に摺動させながら読取対象物Ｐを読取る構成の画像読取装置であればよい。
【００８７】
＜画像形成装置＞
次に、本発明の実施形態である画像形成装置９について、図９と図１０を参照して説明する。本発明の実施形態である画像形成装置９には、本発明の実施形態であるイメージセンサユニット１が適用される。図９は、画像形成装置９の外観斜視図である。図１０は、画像形成装置９の筺体９１の内部に設けられる画像形成部９２を抜き出して示した斜視図である。図９と図１０に示すように、画像形成装置９は、フラットベッド方式のスキャナーとインクジェット方式のプリンタとの複合機（ＭＦＰ；Ｍｕｌｔｉｆｕｎｃｔｉｏｎ  Ｐｒｉｎｔｅｒ）である。画像形成装置９は、画像を読取る画像読取手段としての画像読取部９３と、画像を形成する画像形成手段としての画像形成部９２とを有する。そして、画像形成装置９の画像読取部９３には、イメージセンサユニット１が組み込まれる。なお、画像形成装置９の画像読取部９３は、前述の画像読取装置７と共通の構成が適用できる。したがって、画像読取装置７と共通の構成については説明を省略する。
【００８８】
図９に示すように、画像形成装置９には、操作部９４が設けられる。操作部９４には、操作メニューや各種メッセージなどを表示する表示部９４１と、画像形成装置９を操作するための各種操作ボタン９４２が設けられる。また、図１０に示すように、画像形成装置９の筺体９１の内部には、画像形成部９２が設けられる。画像形成部９２は、搬送ローラー９２１と、ガイドシャフト９２２と、インクジェットカートリッジ９２３と、モーター９２６と、一対のタイミングプーリー９２７とを有する。搬送ローラー９２１は、駆動源の駆動力によって回転し、記録媒体としての印刷用紙Ｒを副走査方向に搬送する。ガイドシャフト９２２は棒状の部材であり、その軸線が印刷用紙Ｒの主走査方向に平行となるように画像形成装置９の筺体９１に固定される。
【００８９】
インクジェットカートリッジ９２３は、ガイドシャフト９２２上をスライドすることによって、印刷用紙Ｒの主走査方向に往復動できる。インクジェットカートリッジ９２３は、たとえば、シアンＣ、マゼンタＭ、イエローＹ、黒Ｋのインクを備えたインクタンク９２４（９２４Ｃ，９２４Ｍ，９２４Ｙ，９２４Ｋ）と、これらのインクタンク９２４にそれぞれ設けられた吐出ヘッド９２５（９２５Ｃ，９２５Ｍ，９２５Ｙ，９２５Ｋ）から構成される。一対のタイミングプーリー９２７の一方は、モーター９２６の回転軸に取り付けられる。そして、一対のタイミングプーリー９２７は、印刷用紙Ｒの主走査方向に互いに離れた位置に設けられる。タイミングベルト９２８は、一対のタイミングプーリー９２７に平行掛けに巻き掛けられ、所定の箇所がインクジェットカートリッジ９２３に連結される。
【００９０】
画像形成装置９の画像読取部９３は、イメージセンサユニット１が読み取った画像を、印刷に適した形式の電気信号に変換する。そして、画像形成装置９の画像形成部９２は、画像読取部９３のイメージセンサユニット１が変換した電気信号に基づいて、搬送ローラー９２１、モーター９２６、インクジェットカートリッジ９２３を駆動し、印刷用紙Ｒに画像を形成する。このほか、画像形成装置９の画像形成部９２は、外部から入力された電気信号に基づいて画像を形成することができる。なお、画像形成装置９のうち、画像形成部９２の構成および動作は、従来公知の各種プリンタと同じ構成が適用できる。したがって、詳細な説明は省略する。なお、画像形成部９２としてインクジェット方式による画像形成装置を説明したが、電子写真方式、熱転写方式、ドットインパクト方式などどのような方式であっても構わない。
【００９１】
以上、本発明の実施形態および実施例について詳細に説明したが、前述の実施形態および実施例は、本発明を実施するにあたっての具体例を示したに過ぎない。本発明の技術的範囲は、前述の実施形態および実施例に限定されない。本発明は、その趣旨を逸脱しない範囲において、種々の変更が可能である。
【００９２】
たとえば、本発明が適用できる画像読取装置は、前述の実施形態に記載される構成のイメージスキャナーに限定されない。また、画像形成装置も、インクジェット方式に限定されず、電子写真方式、熱転写方式、ドットインパクト方式などどのような方式であってもよく、前述の実施形態に記載される複合機に限定されない。本発明にかかるイメージセンサユニットが適用される複写機やファクシミリも、本発明の画像読取装置に含まれる。
【産業上の利用可能性】
【００９３】
本発明は、イメージセンサユニットと、このイメージセンサユニットが適用される画像読取装置や画像形成装置（たとえば、イメージスキャナー、ファクシミリ、複写機、複合機など）に有効に利用できるものである。
【符号の説明】
【００９４】
１：イメージセンサユニット１、１０：本体フレーム、１２：集光体、１６：イメージセンサ、第１のスペーサ装着部２１ａ〜２１ｃ、第２のスペーサ装着部２２ａ〜２２ｃ、第１のスペーサ３１、第２のスペーサ３２、載置部材７２
【図１】
2018093290.tif 000003
【図２】
2018093290.tif 000004
【図３】
2018093290.tif 000005
【図４】
2018093290.tif 000006
【図５】
2018093290.tif 000007
【図６】
2018093290.tif 000008
【図７】
2018093290.tif 000009
【図８】
2018093290.tif 000010
【図９】
2018093290.tif 000011
【図１０】
2018093290.tif 000012